(57)【要約】      （修正有）【課題】簡単かつ直観的な方法で、計測対象と計測機器とを対応づけることができる情報処理装置、および情報処理装置の制御方法を提供する。【解決手段】計測対象の情報を計測する複数の計測機器５とのデータ通信が可能な情報処理装置１の制御方法であって、複数の計測機器の少なくとも１つから発信される信号を受信部で受信する受信ステップと、受信部が受信した信号から、計測機器５が所定の操作を受けたことにより変化した信号を検出した場合、該変化した信号の発信元の計測機器５を計測に使用する計測機器５として決定する計測機器決定ステップと、を含む。【選択図】図１
2016122426.tif 000002
【特許請求の範囲】
【請求項１】
計測対象の情報を計測する複数の計測機器とのデータ通信が可能な情報処理装置であって、
上記複数の計測機器の少なくとも１つから発信される信号を受信する受信部と、
上記受信部が受信した信号から、上記計測機器が所定の操作を受けたことにより変化した信号を検出した場合、該変化した信号の発信元の計測機器を計測に使用する計測機器として決定する計測機器決定部と、を備える
ことを特徴とする情報処理装置。
【請求項２】
上記計測機器決定部によって決定された計測機器が計測した情報を、自装置、および上記計測機器とデータ通信が可能な、自装置と異なる所定の装置のいずれか一方において受信可能に、上記決定された計測機器に送信させる通信制御部をさらに備える
ことを特徴とする請求項１に記載の情報処理装置。
【請求項３】
上記受信部は、上記計測機器から電波によって発信された信号を受信し、
上記計測機器決定部は、上記所定の操作を受けたことによる信号の変化として、上記情報処理装置と上記計測機器との相対的な位置関係の変化に依存した上記電波の強度の変化を検出する
ことを特徴とする請求項１または２に記載の情報処理装置。
【請求項４】
上記受信部は、上記計測機器から該計測機器に関する情報を含む信号を受信し、
上記計測機器決定部は、上記所定の操作を受けたことにより変化した信号に含まれる計測機器に関する情報に基づいて、計測に使用する計測機器を決定する
ことを特徴とする請求項１から３のいずれか１項に記載の情報処理装置。
【請求項５】
計測対象の情報を計測する複数の計測機器とのデータ通信が可能な情報処理装置の制御方法であって、
上記複数の計測機器の少なくとも１つから発信される信号を受信部で受信する受信ステップと、
上記受信部が受信した信号から、上記計測機器が所定の操作を受けたことにより変化した信号を検出した場合、該変化した信号の発信元の計測機器を計測に使用する計測機器として決定する計測機器決定ステップと、を含む
ことを特徴とする情報処理装置の制御方法。
【請求項６】
請求項１に記載の情報処理装置としてコンピュータを機能させるための制御プログラムであって、コンピュータを上記計測機器決定部として機能させるための制御プログラム。
【請求項７】
請求項６に記載の制御プログラムを記録したコンピュータ読み取り可能な記録媒体。
【発明の詳細な説明】
【技術分野】
【０００１】
本発明は、計測機器によって測定された計測データを管理する、情報処理装置、および情報処理装置の制御方法に関する。
【背景技術】
【０００２】
医療機関において健康診断および医学的な検査を実施する場合、検査対象者毎に複数の検査項目が設定されることが多い。そして、医療機関は通常、各検査対象者に対応する検査対象者の検査項目毎の測定結果をカルテ（対象者情報）に集約・管理する。近年の医療機関ではカルテの電子化が進み、医療従事者（看護師および医者など）がパーソナルコンピュータなどの端末機器から閲覧および更新入力が可能な電子カルテが利用されるようになり、測定した生体情報を単に計測して表示するだけではなく、外部機器へ計測データとして送信することが可能な測定機器が普及するようになってきた。
【０００３】
特許文献１では、測定器から無線で測定値と共に測定時を特定する情報および固有情報の入力を受付けるための入力部と、入力された測定値と固有情報とを記憶するメモリに記憶するための処理部と、固有情報と当該測定値よりも以前に測定された測定値と共に記憶されている固有情報とを比較することで、測定値を入力した測定装置と、記憶されている測定値を入力した測定装置と、が同一であることを認証するための認証部とを備え、処理部は、認証成功の場合に、入力された測定値を記憶する制御装置が開示されている。
【先行技術文献】
【特許文献】
【０００４】
【特許文献１】特開２０１２−２００２６７号公報（２０１２年１０月２２日公開）
【発明の概要】
【発明が解決しようとする課題】
【０００５】
しかしながら、上述のような従来技術は、使用する測定装置と対象者との煩雑な登録操作を行うことなく、測定値を管理することを可能とするものの、複数の患者の、多種類の生体情報を正確に管理することを支援するものではない。特許文献１に記載された制御装置は、測定値を入力した測定装置と、メモリに記憶されている測定値を入力した測定装置とが同一であることを認証し、認証成功の場合に、入力された測定値を記憶する。しかし、この認証方法は、同時に複数の検査対象者がそれぞれ、測定装置を用いて生体情報を測定するような場合、および、測定した複数の生体情報を順次電子カルテに入力するような場合には利用できない、という問題がある。
【０００６】
本発明は、上記の問題点に鑑みてなされたものであり、その目的は、簡単かつ直観的な方法で、計測対象と計測機器とを対応づけることができる情報処理装置、および情報処理装置の制御方法を実現することにある。
【課題を解決するための手段】
【０００７】
上記の課題を解決するために、本発明の一態様に係る情報処理装置は、計測対象の情報を計測する複数の計測機器とのデータ通信が可能な情報処理装置であって、上記複数の計測機器の少なくとも１つから発信される信号を受信する受信部と、上記受信部が受信した信号から、上記計測機器が所定の操作を受けたことにより変化した信号を検出した場合、該変化した信号の発信元の計測機器を計測に使用する計測機器として決定する計測機器決定部と、を備える。
【０００８】
上記の課題を解決するために、本発明の一態様に係る情報処理装置の制御方法は、計測対象の情報を計測する複数の計測機器とのデータ通信が可能な情報処理装置の制御方法であって、上記複数の計測機器の少なくとも１つから発信される信号を受信部で受信する受信ステップと、上記受信部が受信した信号から、上記計測機器が所定の操作を受けたことにより変化した信号を検出した場合、該変化した信号の発信元の計測機器を計測に使用する計測機器として決定する計測機器決定ステップと、を含む。
【発明の効果】
【０００９】
本発明の一態様によれば、計測対象の情報を計測する計測機器を決定する場合に、簡単かつ直観的な方法で、計測対象と計測機器とを対応づけて、各計測対象の情報を取り違えることなく正確に、管理することができるという効果を奏する。
【図面の簡単な説明】
【００１０】
【図１】本発明の実施形態１に係る情報処理装置の要部構成の一例を示すブロック図である。
【図２】（ａ）〜（ｃ）は本発明の実施形態１に係る情報処理装置の外観の一例を示す図であり、（ｄ）は情報処理装置を含む情報管理システムの構成例を示す図である。
【図３】情報処理装置において、実施者の認証の後に対象者の認証を行うまでの過程において表示する画面表示例を示す画面遷移図である。
【図４】情報処理装置において、対象者を認証した後から、対象者の生体情報を測定する計測機器を決定するまでの過程において表示する画面表示例を示す画面遷移図である。
【図５】情報処理装置が、対象者の生体情報を測定する計測機器との通信を確立し、測定された生体情報を受信して表示するまでの処理の流れを示すフローチャートである。
【図６】本発明の実施形態２に係る情報処理装置の要部構成の一例を示すブロック図である。
【図７】（ａ）は計測機器との通信が中断したときに情報処理装置が表示する画面表示例であり、（ｂ）は計測機器が計測中であるとき情報処理装置が表示する画面表示例であり、（ｃ）は計測機器の計測が完了したときに情報処理装置が表示する画面表示例である。
【図８】本発明の実施形態４に係る情報処理装置の要部構成の一例を示すブロック図である。
【図９】計測情報通信装置の要部構成の一例を示すブロック図である。
【図１０】図８の情報処理装置を含む情報管理システムの構成例を示す図である。
【図１１】図８の情報処理装置を含む情報管理システムの別の構成例を示す図である。
【図１２】本発明の実施形態５に係る情報処理装置の要部構成の一例を示すブロック図である。
【図１３】計測情報通信装置の要部構成の別の一例を示すブロック図である。
【図１４】図１２の情報処理装置を含む情報管理システムの構成例を示す図である。
【図１５】図１２の情報処理装置を含む情報管理システムの別の構成例を示す図である。
【図１６】情報処理装置を含む情報管理システムの別の構成例を示す図である。
【図１７】照合用ＩＤを用いて計測機器の照合を行う計測情報通信装置の要部構成を示すブロック図である。
【発明を実施するための形態】
【００１１】
〔実施形態１〕
以下、本発明の一実施形態について詳細に説明する。以下では、実施者（医師および看護師など）が情報処理装置１を用いて、担当する患者などの対象者（計測対象）に対して行う検査および処置を実施し、その結果を対象者情報（電子カルテなど）に記録する場合を例に挙げて、説明する。本実施形態において、情報処理装置１は、スマートフォンおよびタブレット端末などのような医療用携帯端末であり、無線アクセスポイント６、および所定の距離以内に存在する複数の計測機器５との通信機能を備えている。対象者情報が蓄積されている対象者情報データベース（ＤＢ）４１を格納しているカルテサーバ４は病院施設内のローカルエリアネットワーク（院内ＬＡＮ）に接続しており、情報処理装置１は、無線アクセスポイント６を介して、該カルテサーバ４にアクセスすることができる。
【００１２】
（情報処理装置１の外観）
まず情報処理装置１の外観について簡単に説明する。図２の（ａ）〜（ｃ）は、情報処理装置１の外観の一例を示す図であり、（ａ）は表示部３３が配された主面、（ｂ）は主面に対向する面である裏面、（ｃ）は主面および裏面に隣接する側面を示している。図示のように、情報処理装置１は、表示部３３、カメラ３４、電源ボタン３５などを備えている。なお、一般的なスマートフォンなどが備える他の構成、例えば、充電用の接続プラグ、通話用のマイク、スピーカ、音量調節ボタン、照明などは、本発明の特徴と直接の関係が無いため、説明の簡略化のために図示を省略した。
【００１３】
表示部３３は、画像および文字列などを表示する画面を備えており、該画面にはタッチパネル３３ａが重畳されている。これにより、表示部３３の画面は、アプリケーションソフトウェア（アプリ）によって表示されるＧＵＩ（graphical user interface）を表示することで、実施者によるタッチ操作（画面上への接触、または画面に対する指などの近接）などを検出し、検出した位置に対応する処理を実行する指示入力部として機能する。
【００１４】
カメラ３４は、対象者および実施者を認証したり、対象者に投薬する薬品に関する情報（会社名、薬品名など）を記録したりする際に用いられる。例えば、カメラ３４は、各対象者および各実施者に予め割り当てられたバーコード、および処置に使用する薬品のバーコードなどを読み取って、これらを認証する場合に用いられる。なお、実施者および対象者を認証する方法は、カメラ３４を使用する方法に限定されない。例えば、実施者および対象者を認証する方法としては、顔認証、声紋認証、および指紋認証などを適用してもよい。また、各対象者および各実施者に予め割り当てた実施者識別情報および対象者識別情報を、ＮＦＣ（Near Field Communication）を利用して、実施者および対象者が身に着けているＩＤカード、ブレスレットなどから読み取る構成であってもよい。
【００１５】
電源ボタン３５は、情報処理装置１の主電源のオン／オフ、またはスリープ／レジュームなどの切り替え操作用のボタンである。なお、情報処理装置１は、多用される操作指示の入力、および使用頻度が高い機能の呼び出しが可能なハードボタンを、主面、裏面、および側面のいずれかの面に備えてもよい。このようなハードボタンを設けることにより、例えば、１つ前の画面表示に戻ったり、初期画面に戻ったりする操作、および、特定のアプリを起動させる操作などを円滑に入力させることができる。
【００１６】
（情報管理システム１００の構成）
次に、情報処理装置１を用いて対象者情報を管理する病院の情報管理システム１００の構成について、図２の（ｄ）を用いて説明する。図２の（ｄ）は、情報処理装置１を含む情報管理システム１００の構成例を示す図である。図示のように、情報管理システム１００は、情報処理装置１、計測機器５、およびカルテサーバ４を備えている。
【００１７】
なお、以下では、情報処理装置１と計測機器５との間の通信にBluetooth（登録商標）Low Energy（ＢＬＥ）を用い、情報処理装置１と無線アクセスポイント６との間の通信にWi-Fi（登録商標）を用いる場合を例に挙げて説明する。しかし、情報処理装置１と計測機器５との相対的な位置関係（距離など）を情報処理装置１が検出できる通信方法であれば、如何なる通信方法も情報管理システム１００に適用可能である。ただし、携帯型の計測機器５の多くは電池によって駆動するため、情報処理装置１と計測機器５との通信に要する電力量を低く抑えることが望ましい。
【００１８】
計測機器５は、計測対象の情報（例えば、対象者の生体情報）を計測する機能を有する医療機器であり、情報処理装置１との間でＢＬＥによるデータの送受信（データ通信）を行うことができる。計測機器５は、例えば、体温計５ａ、血圧計５ｂ、脈波計５ｃ、およびパルスオキシメータ５ｄ、血糖値測定器（図示せず）など、生体情報を測定する医療機器であり、所定量の薬を投与する点滴装置（図示せず）など、医療処置を実行する機器を含んでいてもよい。なお、情報管理システム１００は、複数の計測機器５を含んでいてもよい。すなわち、体温計５ａが複数存在し、複数の対象者が同時に体温を測定したり、あるいは、ある対象者が複数種類の計測機器５を用いて、同時に複数の生体情報を測定したりしてもよい。なお、ＢＬＥを利用して情報処理装置１と計測機器５とが無線により接続する構成については後に詳述する。なお、図２の（ｄ）では、計測機器５と情報処理装置１との間の通信において、ＢＬＥのアドバタイズモード（後述）の信号は破線、データ送受信は実線を用いてそれぞれ示している。
【００１９】
カルテサーバ４は、図２の（ｄ）に示すように、対象者情報ＤＢ４１を保持・管理するコンピュータであり、院内ＬＡＮに接続されている。情報処理装置１は、病院施設の無線アクセスポイント６を介してカルテサーバ４にアクセスし、対象者情報ＤＢ４１の検索、閲覧、抽出、および更新などの処理を行うことができる。対象者情報の閲覧、呼出し、更新などは、特定の権限を有する実施者のみが実行可能である。情報処理装置１は、実施者を認証すると、カルテサーバ４にアクセスして、認証された実施者に関連付けられた対象者に関する対象者情報を取得したり、認証された実施者の指示に従って、対象者情報にデータを追加したり更新したりすることができる。なお、カルテサーバ４は、院内ＬＡＮに接続されたコンピュータに限定されない。例えば、十分な安全性が確保された通信環境であれば、インターネットを介してアクセス可能なコンピュータであってもよい。
【００２０】
（情報処理装置１の構成）
次に、情報処理装置１の構成について、図１を用いて説明する。図１は、情報処理装置１の要部構成の一例を示すブロック図である。情報処理装置１は、制御部１０、記憶部２０、第１通信部３１、第２通信部３２（受信部）、および表示部３３を備えている。そして、制御部１０はさらに、認証部１１、対象者情報取得部１２、表示制御部１３、指示特定部１４、計測機器決定部１５、および第２通信制御部１６（通信制御部）を備えている。なお、本発明と直接の関係が無い構成は、説明の簡略化のために図示を省略した。
【００２１】
第１通信部３１は、情報処理装置１とカルテサーバ４との間のデータ送受信を行う通信手段として機能し、例えば、Wi-Fi無線通信を行う。情報処理装置１は、図２の（ｄ）に示すように、第１通信部３１から無線アクセスポイント６を介して、カルテサーバ４の対象者情報ＤＢ４１にアクセスする。これにより、情報処理装置１は、実施者が担当する対象者の対象者情報を閲覧したり、ダウンロードしたりすることができる。また、情報処理装置１は、新たに実施した検査および処置の履歴、および計測データを対象者情報ＤＢ４１に送信する。
【００２２】
第２通信部３２は、複数の計測機器５から電波によって発信される、各計測機器５に関する情報（例えば、計測機器ＩＤなど）を含む信号をそれぞれ受信（図１の破線）したり、情報処理装置１から計測機器５への接続要求（CONNECT_REQ）を送信（図１の実線）したり、さらに、接続要求を受け取った計測機器５が計測した計測データを受信（図１の実線）したりする。第２通信部３２は、例えば、ＢＬＥ無線通信機能を有する。情報処理装置１と計測機器５との接続については後に説明する。
【００２３】
認証部１１は、実施者の実施者識別情報を読み取り、該実施者の認証を行う。認証部１１が実施者の認証に用いる実施者識別情報の読み取り方式は、如何なる方式であってもよい。例えば、実施者識別情報がバーコードを利用する場合、カメラ３４などの撮影機能（図２の（ｂ）参照）またはバーコード読み取り専用機（図示せず）によって行われ、一方、磁気結合通信を用いたＮＦＣを利用する場合、ＮＦＣタグの読み取り機能（図示せず）によって行われる。あるいは、各実施者が個別のウェアラブル端末を装着し、該ウェアラブル端末が実施者識別情報を、ＢＬＥ通信を利用して情報処理装置１に送信する構成であってもよい。この場合、認証部１１は後述の第２通信部３２から実施者識別情報を受信する。認証部１１は、読み取った実施者識別情報に基づいて、当該実施者が、対象者情報ＤＢ４１または記憶部２０に予め登録された実施者であることを認証する。実施者の認証が完了すると、第１通信部３１が、認証した実施者に関連付けられた対象者情報を対象者情報ＤＢ４１から取得して、対象者情報取得部１２に出力する。なお、認証部１１は、対象者の認証も行うが、対象者の認証方法は、上述の実施者の認証方法とほぼ同様である。なお、対象者の認証は、認証部１１が読み取った対象者識別情報と、対象者情報取得部１２が取得した対象者情報に含まれる対象者識別情報との照合に基づいて行ってもよく、必ずしも第１通信部３１から対象者情報ＤＢ４１に再度アクセスする必要はない。
【００２４】
対象者情報取得部１２は、認証部１１が認証した実施者に関連付けられた対象者の対象者情報を、第１通信部３１および無線アクセスポイント６（図２の（ｄ）参照）を介してカルテサーバ４から取得する。また、対象者情報取得部１２は第１通信部３１から受け取った対象者情報を、表示制御部１３に出力する。
【００２５】
表示制御部１３は、対象者情報取得部１２から対象者情報を取得し、該対象者情報の内容を含む画面表示を生成し、表示部３３に表示させる。
【００２６】
表示部３３にはタッチパネル３３ａが重畳されており、表示部３３は、アプリケーションソフトウェア（アプリ）によって表示されるＧＵＩを表示することで、実施者によるタッチ操作を検出し、検出した位置に対応する処理を実行する指示入力部として機能する。なお、ここでは、表示部３３の画面に対するタッチ操作を用いる場合について説明するが、操作入力の方法はこれに限定されず、例えば、情報処理装置１が備えるマイク（図示せず）を用いて、音声による入力なども適用可能である。
【００２７】
指示特定部１４は、タッチパネル３３ａが検出した各タッチ操作が示す指示を特定する。例えば、指示特定部１４は、実施者が、計測対象となる対象者を指定する操作を入力したことを特定すると、認証部１１から、該対象者の認証結果が取得するまで待機する。なお、対象者の認証作業を進めるように実施者に促すための表示を表示部３３に表示させてもよい。このように、指示特定部１４は、次に如何なる作業が必要になるか、を実施者に知らせる表示を適宜行うように、表示制御部に指示する構成であってもよい。また、指示特定部１４は、認証部１１から、対象者の認証が完了した旨の情報を取得すると、対象者に対して行う検査および処置の項目および検査項目（計測項目）の指示を受け付ける。そして、指示された検査項目に用いる計測機器５を決定するよう、計測機器決定部１５に指示する。
【００２８】
計測機器決定部１５は、複数の計測機器５の少なくとも１つから電波によって発信されている信号の中から、所定の操作を受けたことにより変化した信号を検出し、その信号を送信している発信元の計測機器５を、対象者の検査項目に使用される計測機器５として決定する。所定の操作を受けたことにより変化した信号とは、情報処理装置１と計測機器５との相対的な位置関係の変化（距離の変化）に依存して電波強度が変化した信号であってもよく、電波強度の変化は、例えば、電波の強度が強くなることでもよいし、逆に電波の強度が弱くなることでもよい。また、実施者が計測機器５の電源をオンにしたときに、該計測機器５が計測可能な状態になるまでの間の発信間隔と、計測可能な状態になった後の発信間隔とに差が設けられている場合には、上記所定の操作を受けたことにより変化した信号は、計測機器５からの発信間隔が長くなったり短くなったりする信号の変化でもよい。なお、所定の操作は、情報処理装置１が計測機器５から電波によって発信される信号を受信している期間、例えば、検査項目の指示を受付けた後の一定時間（例えば、５分間）、または、計測機器５の電源がオンになり、該計測機器５が計測可能な状態になるまでの時間になされる操作である。計測機器決定部１５が、検査項目に使用される計測機器５を決定する処理については、後に説明する。
【００２９】
第２通信制御部１６は、計測機器決定部１５が決定した計測機器５と、情報処理装置１との無線通信の接続を確立し、計測データを対象者の生体情報として該計測機器５から第２通信部３２を介して取得する。第２通信制御部１６は、取得した計測データが表示部３３に表示されるように、表示制御部１３に出力する。
【００３０】
この構成によれば、情報処理装置１は、各対象者が検査に使用する計測機器５を決定して、該計測機器５による計測データを、該計測機器５の使用者として対応づけられた対象者に関する計測データとして受信して表示する。これにより、一人の実施者が複数の対象者に関して、複数の生体情報の計測を同時進行的に行う場合においても、実施者に、情報処理装置１を用いてそれぞれの対象者について計測された生体情報を確認させることができる。
【００３１】
なお、決定された計測機器５が計測した生体情報を、情報処理装置１、および計測機器５とデータ通信が可能な、情報処理装置１と異なる所定の装置（後述する実施形態の計測情報通信装置２、２ａ、２ｂ、２ｃなど）のいずれか一方において受信可能に、決定された計測機器５に送信させる第２通信制御部１６をさらに備えていてもよい。
【００３２】
（情報処理装置１と計測機器５との無線通信）
ここでは、情報処理装置１と計測機器５との通信手段として、ＢＬＥを利用する場合について説明する。このＢＬＥは、少量のデータを低頻度で送信できるため、従来のBluetooth（登録商標）規格とは異なり、省電力での連続動作ができる。それゆえ、ＢＬＥでは、常に計測機器５から電波を発信させて、情報処理装置１に計測機器５の位置を取得させる、ビーコンとしても利用可能である。このように電波を発信している状態を、アドバタイズモードという。ただし、全ての計測機器５が常に電波を発信する必要はない。例えば、体温計５ａが常に低頻度で電波を発信しながら、情報処理装置１に近づけられることで、情報処理装置１へのデータ送信間隔を短くするような構成でもよいし、体温計５ａが検温を開始可能な状態になった時点から電波を発信してもよい。
【００３３】
ＢＬＥを利用する計測機器５がペリフェラルとして、アドバタイズモードに設定されると、計測機器５は通信先の装置を特定することなく、アドバタイズパケット（信号）をブロードキャスト送信し続ける。このアドバタイズパケットには、各計測機器５に固有の計測機器ＩＤ（機器情報）などが含まれており、情報処理装置１（セントラル）および他の計測機器５（ペリフェラル）によって受信され得る。情報処理装置１は、全ての受信可能なアドバタイズパケットをスキャンして、各アドバタイズパケットの電波強度の変化を検出できる。
【００３４】
情報処理装置１が受信する計測機器５からの電波強度は、情報処理装置１と計測機器５との間の距離に依存している。すなわち、情報処理装置１と計測機器５との距離がより遠い場合、電波強度は弱く、情報処理装置１と計測機器５との距離がより近い場合、電波強度は強い。情報処理装置１の計測機器決定部１５は、アドバタイズパケットの電波強度が、所定の操作を受けたことにより変化した信号の発信元の計測機器５に対して、接続要求を送信するように第２通信制御部１６に指示する。その結果、情報処理装置１と該計測機器５との接続が確立され、該計測機器５は、情報処理装置１のスレーブとなる。なお、１つの情報処理装置１に対してスレーブとなる計測機器５は複数であってもよい。計測機器決定部１５が、計測機器５を決定する処理については、後に詳述する。また、情報処理装置１が接続を確立する計測機器５を決定するためには、情報処理装置１と計測機器５との間の距離が変化したことを、情報処理装置１が検出可能であればよく、情報処理装置１と計測機器５との距離は、好ましくは２ｍ以下である。
【００３５】
（情報処理装置１の処理の流れ）
続いて、実施者が情報処理装置１を用いて、対象者の検査を行う際の処理の流れについて、図３および図４を参照しながら、図５を用いて説明する。図５は、情報処理装置１が、対象者の生体情報を測定する計測機器５との通信を確立し、測定された生体情報を受信して表示するまでの処理の流れを示すフローチャートであり、（ａ）は全体の流れの概要を示し、（ｂ）は情報処理装置１が計測機器５の探索を開始してから決定するまでの処理の一例を示している。
【００３６】
（１．実施者の認証）
まず、情報処理装置１が実施者を認証し、認証された実施者に関連付けられた対象者情報を取得してから、対象者を認証するまでの処理の流れについて、図３および図５を用いて説明する。図３は、情報処理装置において、実施者の認証の後に対象者の認証を行うまでの過程において表示する画面表示例を示す画面遷移図である。
【００３７】
まず、情報処理装置１のカメラ３４によって、実施者が保持しているＩＤカードに表示されたバーコードなどを読み取る。認証部１１は、該実施者がカルテサーバ４へのアクセス権限を有する実施者であることを認証する（Ｓ１）。認証された実施者の情報は、認証部１１から対象者情報取得部１２へと出力され、第１通信部３１から無線アクセスポイント６を介して、カルテサーバ４へと送信される。対象者情報取得部１２は、認証された実施者に関連付けられた対象者に関連付けられた１または複数の対象者情報を対象者情報ＤＢ４１から取得する（Ｓ２）。そして、対象者情報取得部１２は、実施者および対象者情報に含まれる実施すべき検査項目などを表示制御部１３に出力し、実施者に対象者を選択させて、選択された１人の対象者の対象者情報を表示部３３に表示させる（Ｓ３）。
【００３８】
図３の（ａ）は、情報処理装置１が、実施者である「鈴木Ａ子」を認証した後に、「鈴木Ａ子」の担当する対象者の対象者情報（電子カルテなど）を、カルテサーバ４から取得したときに表示する画面表示の一例である。領域７１は、認証済みの実施者の名前などを表示する領域である。領域７２は、実施者を認証する前の状態に情報処理装置１を戻すＧＵＩとして機能する。また、領域７３は、領域７５において現在表示中のリストのタイトルや説明などを表示する欄である。領域７５は、領域７３に表示しているリスト、および領域７４で選択されたリストを表示する。図示では領域７５に「鈴木Ａ子」が担当する対象者の部屋番号、氏名、および検査および処置の内容を表すリストが表示されており、領域７３に「未実施のオーダー一覧」というタイトルを表示している。領域７４により、領域７５に表示可能なリストを領域７３においてプルダウン表示して、実施者に、その中のいずれかを選択させたり、現在作業中のオーダーおよび未実施または作業中のオーダーに切り替えさせたりしてもよい。また、領域７５に表示したリストがリスト全体の一部である場合、領域７４により、そのリストの続きを表示させる指示を入力させてもよい。なお、領域７３および領域７４を用いて、直近２時間の未実施オーダー、午前（または午後）に実施予定のオーダーなど、リスト全体の中から所望の条件に合う対象者をリストアップできる構成であってもよい。領域７６は、実施者に対して、操作補助メッセージを表示する欄であり、ここでは、対象者を認証するための操作を次に行うように促す文字列が表示されている例を示している。
【００３９】
図示では、領域７５は、対象者の部屋番号、氏名、処置すべき内容のみを記載しているが、これに限定されない。例えば、処置すべき内容に厳密な時間指定などがある場合、時間厳守であることを表すアイコン表示が可能な欄を設けてもよいし、特記事項の欄を設けてもよい。あるいは、表示する文字のフォントおよび色、または背景色などで、実施に際して注意が必要な対象者および処置を判別しやすくしてもよい。
【００４０】
（２．対象者の認証）
次に、検査を開始する対象者を、表示した対象者情報に含まれる対象者の中から選択させる。認証部１１は、対象者識別情報を読み取り、読み取った対象者識別情報と、選択された対象者の対象者識別情報とが一致した場合、該対象者を認証する（Ｓ４）。
【００４１】
図３の（ｂ）は、実施者「鈴木Ａ子」が「東一郎」を対象者として選択した後に、対象者を認証する処理の際に、情報処理装置１が表示する画面表示の一例である。領域７３には、例えば図示のように「オーダーの詳細」と表示されており、領域７５ａおよび領域７８にはそれぞれ、図３の（ａ）で実施者によって選択された「東一郎」の部屋番号、氏名、および内容（オーダーの詳細）、および「東一郎」に対して予定されている検査項目および投薬内容が表示される。領域７７は、図３の（ａ）の画面に戻るボタンであり、実施者が対象者を選択し直す場合などに利用される。
【００４２】
図３の（ｃ）は、「東一郎」を対象者として選択した後に、対象者に対する検査項目を選択する処理の際に、情報処理装置１が表示する画面表示の一例である。領域８０は、対象者の認証前の状態（図３の（ａ）に示した画面）に戻るためのＧＵＩとして機能する。領域８１には、作業予定のオーダー、および作業中のオーダーの詳細な実施状況を表示している。領域８１に表示されている各検査項目および投薬を開始するときは、実施者は、「開始」と表示された開始ボタンへのタッチ操作を検出すればよい。
【００４３】
なお、上述の図３の（ａ）に示す画面を表示しているときに、対象者の認証をできるようにしてもよい。その場合、図３の（ａ）の領域７６に、図示に続けて「対象者を認証してください」という表示を行い、実施者に対象者の認証を促し、その後すぐに図３の（ｃ）の画面を表示すればよい。また、同じ対象者のオーダーが領域７５に表示したリストに複数存在する場合、該実施者にその中から選択させる画面を表示してもよい。注射または経口による投薬の場合、開始ボタンをタッチ操作することでカメラ等が起動し、投与する薬品の容器に表示されているバーコードなどを読み取り、対象者情報に登録されている薬品との一致が確認された場合に完了としてもよい。一方、仮に点滴による投薬の場合、点滴投与される薬品の量および状態（投薬中か投薬完了したか）を点滴装置から情報処理装置１に送信してもよい。
【００４４】
（３．計測機器５の決定）
続いて、対象者の検査項目を計測する計測機器５を決定して、該計測機器５との通信を確立するまでの処理の流れについて、図４および図５を用いて説明する。図４は、情報処理装置１において、対象者を認証した後から、対象者の生体情報を測定する計測機器５を決定するまでの過程において表示する画面表示例を示す画面遷移図である。
【００４５】
対象者を認証した後、認証した対象者に対して実施する検査項目を、表示部３３に１または複数表示して、認証した対象者に対して実施する検査項目の選択を受付ける（Ｓ５）。指示特定部１４は、選択された検査項目を計測機器決定部１５に出力する。計測機器決定部１５は、選択された検査項目に利用される計測機器５を決定する（Ｓ６：計測機器特定ステップ）。
【００４６】
計測機器決定部１５による計測機器５の決定のために、情報処理装置１が計測機器５を探索し、決定する処理について、図５の（ｂ）を用いて説明する。まず、第２通信部３２が計測機器５から受信しているアドバタイズパケットなどの信号のうち、所定の操作を受けたことにより変化した信号を検出する（Ｓ６１：受信ステップ、計測機器決定ステップ）。例えば、実施者が検査項目を選択した後に、選択した検査項目を測定するために使用する計測機器５を、情報処理装置１に近付けるだけでよい。情報処理装置１に近づけられた計測機器５が発信している信号の電波強度は、所定の操作を受けたことにより変化する（この場合の変化とは電波強度が一時的に強くなることである）。第２通信部３２が受信する信号により、計測機器決定部１５は、第２通信制御部１６に、該計測機器５との接続を確立するように指示する。次に、計測機器決定部１５は、検出された信号（所定の操作を受けたことにより変化した信号）を発信した計測機器５が、Ｓ５において受付けた検査項目に用いる（関連付けられた）計測機器５からの信号か否かを判定する。Ｓ５において受付けた検査項目に使用可能な計測機器５であれば（Ｓ６２においてＹＥＳ）、該計測機器５を検査に用いる機器として決定し、第２通信制御部１６は、第２通信部３２を介して、該計測機器５との通信を確立・維持する（Ｓ７）。一方、Ｓ５において受付けた検査項目に用いる計測機器５とは異なる場合（Ｓ６２においてＮＯ）、Ｓ６１に戻り、計測機器５の探索を継続する。
【００４７】
なお、計測機器５をＢＬＥのアドバタイズモードで動作させておき、情報処理装置１が計測機器５を識別したり判定したりするために必要な情報を、ブロードバンド送信するようにしてもよい。これにより、計測機器決定部１５は、検査項目を測定可能な計測機器５のうち、特に情報処理装置１に近接しており、例えば、情報処理装置１が受信する信号の電波強度が閾値以上である計測機器５を、検査項目に用いる計測機器５として決定することができる。また、計測機器５の電源がオンに切り替えられてから所定の時間内（例えば、数十秒間）におけるアドバタイズモードでの発信間隔が短くなるように設定してもよい。これにより、情報処理装置１に近接する同種の計測機器５が複数ある場合であっても、計測機器決定部１５は、信号の発信間隔が短い方を優先して接続することにより、実施者が検査項目に使用することを意図して電源をオンにした計測機器５を検査項目に用いる計測機器５として正しく決定することができる。
【００４８】
また、情報処理装置１と計測機器５との接続が確立した際に、確認コード（計測データなどのテストパターン）を送信し、情報処理装置１の表示部３３と計測機器５の表示部（図示せず）との両方に表示された確認コードを、実施者に確認させるようにしてもよい。なお、この確認コードは、複数の計測機器５において個々の計測機器５を識別できるものであれば如何なるものでもよく、例えば、情報処理装置１および計測機器５のＭＡＣアドレスの一部などを順次表示したものでもよいし、計測機器５の機器情報（計測機器ＩＤなど）でもよいし、乱数生成を利用した可変のコードでもよい。すなわち、確認コードは、固定のコードでもよいし、可変のコードでもよい。この確認コードは計測機器５の表示部（図示せず）においても表示される。表示された確認コードが、情報処理装置１の表示部３３と計測機器５の表示部（図示せず）とで異なる場合、間違った計測機器５との接続であることを容易に確認させることができる。この場合、確立した接続を停止して、計測機器５の再探索を指示できるようにすることが望ましい。
【００４９】
図４（ａ）は、対象者「東一郎」に薬Ａおよび薬Ｂの投薬が完了した後に、体温または血圧の計測を行う前の段階において、表示される画面表示例である。領域８２には、体温および血圧の検査項目それぞれについて、タッチ操作を受け付ける開始ボタンが表示されており、領域７６には、操作を促す指示が文字列として表示されている。
【００５０】
図４の（ａ）において、血圧の開始ボタン８３がタッチ操作されると、図４（ｂ）に示す画面表示に遷移する。領域８２ａにおいて、血圧に対する血圧計５ｂを検索中であることを表す「探索中」という表示が表れ、図４の（ａ）の開始ボタン８３の代わりに、血圧計５ｂの探索の中止を指示する入力を受け付ける中止ボタン８４に変わる。そして、血圧の開始ボタン８３に対するタッチ操作を検出してから所定の時間内に、血圧計５ｂが情報処理装置１に近づけられたことを、情報処理装置１が検出すると、計測機器決定部１５は該血圧計５ｂと対象者「東一郎」の検査項目「血圧」との紐づけを行う。
【００５１】
情報処理装置１に血圧計５ｂが近づけられたことを検出すると、図４の（ｃ）に示す画面表示に遷移し、領域８５に該血圧計５ｂに対応する「確認コード」が表示される。この確認コードは、固定のコードでもよいし、可変のコードでもよい。例えば、確認コードは、従来のBluetoothのＰＩＮコードと同等の固定コードおよび計測機器５のＭＡＣアドレスの一部などでもよい。または、使用する度にＰＩＮコードを生成してもよい。可変のコードを用いる場合は、計測機器５の表示画面に表示されたＰＩＮコードと領域８５に表示された確認コードとが一致していることを実施者に確認させればよい。なお、確認コードとして固定コードを用いる場合、予め各計測機器５に割り当てた番号などを、事前に登録して利用してもよい。図４（ｃ）では、領域８５に「確認コード」として「１２３４５６」が表示されており、この確認コードが、実施者が情報処理装置１に近づけた血圧計５ｂのＰＩＮコードと一致するか否かを確認させる場合を例に挙げている。一致していることを実施者が確認できた場合、領域８５の「確認」ボタンがタッチ操作される。
【００５２】
血圧計５ｂの確認コードが確認された場合、情報処理装置１は、該血圧計５ｂに対して接続要求を送信し、情報処理装置１と該血圧計５ｂとの接続が完了する。図４の（ｄ）は、接続が完了（確立）した後は、情報処理装置１と該血圧計５ｂとの関係は、スレーブ／マスターモードに切り替わる。領域７６には、血圧計５ｂによって対象者「東一郎」の血圧の計測を開始するように促すメッセージを表示する。情報処理装置１は、スレーブとなった血圧計５ｂから、測定された血圧データを対象者「東一郎」の血圧の計測データとして受信する。なお、計測機器５に未接続の項目について、情報処理装置１からの距離が、一定距離（例えば２ｍ）以内に、一致する種類で未接続の計測機器を検知したときに通知し、複数機器の場合それぞれ接続するかどうかを選択できるようにしてもよい。
【００５３】
また、ここでは、領域８７に表示される検査項目に対する開始ボタンへのタッチ操作を受け付けた後に、対応する計測機器５の探索を行う構成について説明するがこれに限定されない。計測機器５は計測機器ＩＤなどを含むパケットをブロードキャスト送信するため、情報処理装置１は、計測機器５が検査項目の計測が可能な機器か否かを判定し得る。このため、情報処理装置１は、所定の電波強度以上のパケットを計測機器５から検出した場合に、該計測機器５が検査項目の計測が可能な機器であれば、接続を促すようにしてもよい。例えば、体温計５ａおよび血圧計５ｂのいずれかが近づけられた場合、近づいた計測機器５が測定可能な検査項目の計測機器５の探索を完了させる構成であってもよい。すなわち、図４の（ａ）の画面表示の時点で、血圧計５ｂが近づけられたことを検知して、図４の（ｅ）の画面表示に遷移してもよい。
【００５４】
上記の構成によれば、所定の操作を受けたことにより変化した信号を検出し、該所定の操作を受けたことにより変化した信号の発信元の計測機器５を、対象者の検査項目の計測に使用する計測機器５として決定する。これにより、複数の計測機器５の中から、対象者の生体情報を計測する計測機器５を、例えば、情報処理装置１の近くで移動させるなどの、簡単かつ直観的な方法で決定することができる。よって、一人の実施者が複数の対象者について、複数の生体情報の計測を同時進行的に行う場合においても、対象者を取り違えたり、対象者と計測機器５との対応関係を取り違えたりすることなく、計測された対象者の生体情報を正確に管理することができる。
【００５５】
（４．計測データの取得）
最後に、決定した計測機器５が計測した計測データを情報処理装置１が受信する処理について、図５を用いて説明する。Ｓ５において受付けた検査項目に関連付けられた計測機器５との接続が確立すると、次に、実施者は、スレーブとなった計測機器５により対象者の生体情報などの計測を行い、第２通信部３２は、接続（通信）を確立した計測機器５が計測した計測データを受信する（Ｓ８：受信制御ステップ）。計測機器５は、測定値を所定の間隔で情報処理装置１に断続的に送信してもよいし、測定が完了するまで測定中であることを示す動作報告（または状態情報）のみを送信し、測定が完了した時に測定値と測定が完了したことを示す動作報告とを併せて送信してもよい。
【００５６】
第２通信制御部１６は、第２通信部３２が受信した計測データを取得して、表示制御部１３に送り、表示制御部１３は、該計測データを対象者の検査項目の生体情報として表示部３３に表示する（Ｓ９）。実施者は、測定完了後において、計測機器５の表示部に表示された値と情報処理装置１の表示部３３に表示された値とを比較して、測定された値および計測機器５からの計測データの受信に問題がないことを確認することができる。指示特定部１４が確認された計測データの記録の指示を受付けた場合、情報処理装置１は、記憶部２０に確認済の計測データを格納することなく第１通信部３１を介して対象者情報ＤＢ４１に直接送信してもよいし、複数の対象者の検査項目についての全ての計測が完了するまで記憶部２０に確認済の計測データを格納し、その後に対象者情報ＤＢ４１に送信してもよい。
【００５７】
なお、第１通信部３１にWi-Fi、第２通信部３２にBluetoothを用いた場合、同じ周波数帯を使用することで、第１通信部３１の電波が第２通信部３２の電波を阻害する虞がある。これを防ぐために、計測中の計測機器５が存在する場合は、その計測機器５による測定が完了するまで第１通信部３１によるデータ送信を待機してもよい。
【００５８】
このように、情報処理装置１は、対象者を認証後に、使用する計測機器５を情報処理装置１に近付けるなどの簡単で直観的な動作をするだけで、対象者と計測機器５とを対応づけることができる。また、測定した複数の計測データは、Wi-Fiなどの無線通信によって順次対象者情報ＤＢ４１に送信して格納することができる。それゆえ、同時に複数の対象者がそれぞれ、計測機器５を用いて生体情報を計測する場合にも適用することができる。
【００５９】
〔実施形態２〕
本発明の他の実施形態について、図６および図７に基づいて説明すれば、以下のとおりである。なお、説明の便宜上、前記実施形態にて説明した部材と同じ機能を有する部材については、同じ符号を付記し、その説明を省略する。
【００６０】
（情報処理装置１ａ）
図６は、実施形態２に係る情報処理装置１ａの要部構成の一例を示すブロック図である。本実施形態に係る情報処理装置１ａは、異常判定部１７および時計部３６をさらに備えている点で、図１の情報処理装置１と異なっている。時計部３６は制御部１０に時刻情報を供給する時計であり、異常判定部１７は、情報処理装置１と計測機器５との接続状態、および計測データの異常の有無を判断する。異常があると判断した場合、異常判定部１７は、その異常を実施者に知らせる表示を、表示部３３に表示するように表示制御部１３に指示する。
【００６１】
ここでは、接続が確立済みの計測機器５との接続が中断された場合について、図７の（ａ）を用いて説明する。図７の（ａ）は、情報処理装置１において、計測機器５との通信が中断した後、再度通信を回復させる過程において表示する画面表示例である。異常判定部１７が、体温計５ａとの接続が中断されたと判定すると、図７の（ａ）に示すように、領域８８において、その旨を知らせる「体温：通信断」という表示、および再接続の指示を受付ける「再接続」という表示が現れる。そして、領域７６には、再接続を行う際の手順などが表示される。なお、ＢＬＥのアドバタイズパケットにはいくつかパケットのＰＤＵタイプがあるが、例えば、計測開始時に計測機器５と情報処理装置１との接続を確立する際のＰＤＵタイプは、不特定の機器からの接続待機の場合に使う「ADV_IND」とし、情報処理装置１が計測機器５との通信圏の外に出てしまい接続が中断された際のＰＤＵタイプは、特定の機器からの接続待機に使う「ADV_DIRECT_IND」とすればよい。これにより、計測機器５が、接続を確立した履歴に関する情報を含む信号を送信しながら、再接続先の情報処理装置１を検索し、早く接続を回復することができる。
【００６２】
次に、図７の（ｂ）を用いて、計測機器５が計測中であることを、計測開始からの時間とともに表示する場合について説明する。異常判定部１７が、第２通信制御部１６から、体温計５ａが計測開始になったこと、および現在測定中であることを取得すると、その都度、時計部３６から時間情報を取得し、その差分を表示制御部１３に出力する。例えば、図７の（ｂ）に示すように、領域８９には、体温計５ａが現在計測中であることに加え、計測開始からの経過時間が、「２分経過」という表示９０として示される。この経過時間を実施者に確認させて、体温計５ａの状態の確認を促すことができる。なお、計測機器５との接続が一度中断し、その後再接続しても、まだ該計測機器５の計測が完了してないときは、測定中と表示される。この場合にも計測開始からの経過時間を表示してもよい。
【００６３】
情報処理装置１と計測機器５との接続が維持された状態であるときに、該計測機器５が計測を開始してから一定時間が経過しても計測データが受信できない場合、および計測された計測データが予め設定された範囲内にない場合を異常と判定する。異常判定部１７は、実施者に異常を知らせる表示を表示部３３にするよう、表示制御部１３に指示する。計測機器５が計測を開始してからの経過時間が予め設定された時間以内に計測データを受信したか否かを判定する場合、異常判定部１７は、第２通信制御部１６から計測機器５が計測を開始した旨の情報を取得した時刻と現在の時刻とを時計部３６から取得し、その差分を表示部３３に表示するように表示制御部１３に指示してもよい。
【００６４】
例えば、情報処理装置１ａが計測データの異常を判断した場合の画面表示について、図７の（ｃ）を用いて説明する。計測機器５の表示部（図示せず）に表示された値と情報処理装置１の表示部３３に表示された値が同じであれば、情報処理装置１と計測機器５とのデータ送受信が正常であることを実施者に確認させ、その値が適正な値だと実施者が判断したか否かについて、領域８９ａの確認ボタン９２へのタッチ操作を要求する。確認ボタン９２の「確認」がタッチ操作されると、検査項目の計測は「済」となる。もし、計測機器５の表示部に表示された値と情報処理装置１の表示部３３に表示された値が異なる場合、および計測機器５の異常が疑われる値である場合には、実施者は確認ボタン９２の「再測定」をタッチ操作すればよい。確認ボタン９２の「再測定」がタッチ操作されると、計測機器５との接続を解除する。この場合、図４の（ａ）に示すように「体温：未」という表示に戻る。
【００６５】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００６６】
（計測機器５の仕様判定）
計測機器決定部１５は、第２通信部３２が受信する計測機器５からのアドバタイズパケットに含まれる、計測機器５の情報（計測機器ＩＤ、型番、計測精度など）に基づいて、対象者の生体情報の計測に適当な仕様の計測機器５を決定してもよい。この場合、各対象者の検査項目ごとに、病院内にある機器の型番リスト、および計測精度に関する情報などを必要条件として予め設定し、この設定を計測機器決定部１５が参照する。これにより、例えば、検査項目が同じ計測機器５が複数種類あったとしても、検査に要求される精度を満たさない計測機器５、あるいは、これまでの検査で用いた計測機器５と異なる型番の計測機器５とは接続を確立しないようにすることができる。
【００６７】
〔実施形態４〕
本発明の他の実施形態について、図８から図１１に基づいて説明すれば、以下のとおりである。なお、説明の便宜上、前記実施形態にて説明した部材と同じ機能を有する部材については、同じ符号を付記し、その説明を省略する。
【００６８】
本実施形態において、情報処理装置１ｂは、情報処理装置１および１ａと同様、スマートフォンおよびタブレット端末などのような医療用携帯端末であり、無線アクセスポイント６、および所定の距離以内に存在する複数の計測機器５との通信機能を備えている。ただし、情報処理装置１ｂは、計測機器５が計測した計測データを自装置に向けて送信させるのではなく、後述の計測情報通信装置２、２ａ（所定の装置）に向けて送信させる点で、上述の実施形態の情報処理装置１および１ａと異なっている。
【００６９】
（情報管理システム１５０および１５０ａの構成）
まず、情報処理装置１ｂを用いて対象者情報を管理する病院の情報管理システム１５０および１５０ａの構成について、図１０および図１１を用いて説明する。図１０は、情報処理装置１ｂを含む情報管理システム１５０の構成例を示す図であり、図１１は、情報処理装置１ｂを含む別の情報管理システム１５０ａの構成例を示す図である。情報管理システム１５０の計測情報通信装置２（所定の装置）は、院内ＬＡＮに有線で接続しており、一方、情報管理システム１５０ａの計測情報通信装置２ａ（所定の装置）は、院内ＬＡＮに接続している無線アクセスポイント６に無線で接続可能となっている。図示のように、情報管理システム１５０および１５０ａは、情報処理装置１ｂ、計測情報通信装置２、計測機器５、およびカルテサーバ４を備えている。なお、院内ＬＡＮに接続しているフロントサーバ（図示せず）を、カルテサーバ４とは別に設けてもよい。このフロントサーバは、計測データを、計測情報通信装置２ａから取得してから、該計測データを、実施者による確定処理が行われてカルテサーバ４の対象者情報ＤＢ４１に入力するまで、記憶する。
【００７０】
ここでは、情報処理装置１ｂと計測機器５との間の通信、および計測情報通信装置２と計測機器５との間の通信にBluetooth（登録商標）Low Energy（ＢＬＥ）を用い、情報処理装置１ｂと無線アクセスポイント６との間の通信にWi-Fi（登録商標）を用いる場合を例に挙げて説明する。しかし、情報処理装置１ｂと計測機器５との間の通信は、両者の相対的な位置関係（距離など）を情報処理装置１ｂが検出できる通信方法であれば、如何なる通信方法も情報管理システム１５０および１５０ａに適用可能である。
【００７１】
情報処理装置１ｂは、カルテサーバ４の対象者情報ＤＢ４１に含まれる対象者の検査項目の計測に用いる計測機器５を、１つまたは複数の計測機器５の中から決定し、該計測機器５の機器情報（計測機器ＩＤなど）を取得して、接続を確立する。情報処理装置１ｂは、接続を確立した計測機器５に、該計測機器５を使用する対象者を識別するための対象者識別情報、および該計測機器５が計測する検査項目を識別するための計測項目識別情報を送信する。この対象者識別情報は、対象者を認証するために用いられるものと同じであってもよいし、任意の形式に変換された情報であってもよい。ここでは、対象者識別情報および計測項目識別情報を個別の識別情報として記載するがこれに限定されない。例えば、対象者と検査項目との組み合わせ毎に、１つの識別情報（対象者・計測項目識別情報）をカルテサーバ４が生成して、対象者情報ＤＢ４１に含まれる各対象者情報に適用してもよい。
【００７２】
また、情報処理装置１ｂは、対象者の検査項目毎に使用することが決定した計測機器５の機器情報を、該対象者の対象者情報に入力する。ここでは、情報処理装置１ｂが対象者情報に入力する計測機器を識別するための情報として、計測機器ＩＤを用いる場合を例に挙げて説明するがこれに限定されない。例えば、対象者情報に入力する計測機器を識別するための情報として、上述の「確認コード」を使用してもよい。実施者による、検査項目の計測に使用する計測機器５の計測機器ＩＤの確認が終了すると（図４の（ｃ）参照）、情報処理装置１ｂは、該計測機器ＩＤを確認コードとして当該対象者の検査項目に対応する欄に記入した対象者情報をカルテサーバ４に送信する。これにより、カルテサーバ４に格納された対象者情報ＤＢに含まれる対象者情報では、各対象者の検査項目毎に使用する計測機器５を参照することができる。各対象者の検査項目に使用する計測機器５を決定するときに、情報処理装置１ｂと計測機器５との計測機器ＩＤが一致していることを実施者に確認させるため、対象者の取り違え、および検査項目毎に使用する計測機器５の取り違えなどの発生を防ぐことができる。
【００７３】
さらに、情報処理装置１ｂは、カルテサーバ４の対象者情報ＤＢ４１に、各計測機器５が計測した計測データが未確定データとして格納されている場合、実施者に未確定データの確認を促し、確定処理を入力させる。情報処理装置１ｂの構成例については、後に説明する。
【００７４】
計測機器５は、情報処理装置１ｂとの接続が切断した後に計測情報通信装置２との接続を確立するまで、ＢＬＥのアドバタイズモードの信号を発信する（図１０および図１１の破線）。ここで、ＢＬＥのアドバタイズパケットにはいくつかパケットのＰＤＵタイプがあるが、例えば、計測開始時に計測機器５と計測情報通信装置２との接続を確立する際のＰＤＵタイプは、不特定の機器からの接続待機の場合に使う「ADV_IND」とすればよい。計測機器５は、情報処理装置１ｂから受信した対象者識別情報および計測項目識別情報を、計測した計測データと共に、接続が確立した計測情報通信装置２に送信する。計測機器５は、計測データを計測情報通信装置２に送信するまで、対象者識別情報および計測項目識別情報を一時的に記録する記憶部（図示せず）を備えてもよい。計測機器５が情報処理装置１ｂおよび計測情報通信装置２との間で接続を確立するために消費する電力量は、低く抑えることが望ましく、ＢＬＥは適した通信手段の１つである。
【００７５】
計測情報通信装置２は、有線ＬＡＮコネクタを介して、院内ＬＡＮに有線で接続されている装置であり、例えば、各対象者が検査を受ける部屋ごとに設けられている。なお、図示していないが、スイッチングハブ（図示せず）などを経由して計測情報通信装置２を院内ＬＡＮに接続してもよい。計測情報通信装置２は、対象者の生体情報の計測に用いられた計測機器５との接続を確立し、該計測機器５から計測データ、対象者識別情報、および計測項目識別情報を受信する。具体的には、計測情報通信装置２は、ＢＬＥを用いた無線通信機能を備え、情報処理装置１ｂとの接続が切断した計測機器５からのＢＬＥのアドバタイズモードの信号のうち、その電波の強度が所定以上のもの（すなわち、近距離に存在している計測機器５からの電波）を検出し、該電波の発信元の計測機器５との接続を確立する。計測情報通信装置２は、計測機器５から計測データ、対象者識別情報、および計測項目識別情報を受信する。この計測機器５と計測情報通信装置２との間の通信において送受信されるデータ構造は、例えばＢＬＥのバイナリデータである。計測情報通信装置２は、カルテサーバ４にアクセスして、受信した対象者識別情報が示す対象者の、計測項目識別情報が示す検査項目に使用する計測機器５と決定されている計測機器５の計測機器ＩＤを参照して、受信した計測データなどを送信した計測機器５の計測機器ＩＤと対象者情報に入力されている計測機器ＩＤとを照合する。計測機器ＩＤが一致していれば、計測データを、該対象者の検査項目の計測データとしてカルテサーバ４に送信する。計測機器ＩＤが一致していなければ、該計測機器５との接続は切断して、他の計測機器５のＢＬＥのアドバタイズモードの信号のうち、その電波の強度が所定以上のものを検出し、該電波の発信元の計測機器５との接続を確立する。
【００７６】
カルテサーバ４は、計測情報通信装置２から受信した計測データを、該計測データと共に受信した対象者識別情報および計測項目識別情報に基づいて特定した対象者の対象者情報の検査項目に対応するデータとして格納する。すなわち、計測機器５によって計測された計測データは情報処理装置１ｂに送信されるのではなく、計測情報通信装置２を介してカルテサーバ４に格納される。したがって、カルテサーバ４に格納された計測データは実施者による確認を受けていない。
【００７７】
そこで、情報管理システム１５０では、実施者による確認が済んでいない計測データを、カルテサーバ４またはフロントサーバに未確定データとして格納する。実施者が、情報処理装置１ｂを用いて、カルテサーバ４の対象者情報を閲覧・ダウンロードしたとき、未確定データは、確認が済んでいる他のデータと区別可能に表示される。情報処理装置１ｂは、実施者に対し、この未確定データの確定処理の入力を受け付ける。例えば、各未確定データまたは各対象者について、「確認」ボタン（図７の（ｃ）の「確認」ボタン９２参照）を表示部３３に表示させて、タッチ操作による確定処理の入力を促す。情報処理装置１ｂは、無線アクセスポイント６を介してカルテサーバ４に、確定処理が入力されたことを示す情報である確定処理情報を送信する。カルテサーバ４は、受信した確定処理情報に基づいて、未確定データを確定データとして格納する。
【００７８】
なお、カルテサーバ４またはフロントサーバにおいて、対象者識別情報、計測項目識別情報、および計測データを受信したとき、カルテサーバ４またはフロントサーバに格納されている確定処理前ＤＢ（図示せず）に格納しておき、後に実施者によって確定処理がなされたデータのみ、確定処理前ＤＢから対象者情報ＤＢ４１に送るようにしてもよい。あるいは、対象者情報ＤＢ４１に、実施者による確定処理がなされたか否かを示すフィールドを設けてもよい。
【００７９】
なお、計測情報通信装置２は、院内ＬＡＮに有線で接続されている構成に限定されない。例えば、図１１に示す計測情報通信装置２ａ（所定の装置）のように、無線アクセスポイント６との無線通信機能（Wi-Fiなど）を備える構成であってもよい。計測情報通信装置２と無線アクセスポイント６にデータを無線通信によって送信する場合は、例えばＸＭＬデータなどをhttps/ftps/sftps通信などでアップロードすればよい。この構成により、計測情報通信装置２ａは、図１０の計測情報通信装置２に比べて、使用される場面に合わせて好ましい位置に自由に移動させて配置することができる。なお、図示していないが、スイッチングハブなどを経由して無線アクセスポイント６を院内ＬＡＮに接続してもよい。これにより、計測情報通信装置２ａから送信された情報を他の無線通信と区別してカルテサーバ４に伝送することができる。
【００８０】
計測情報通信装置２は、有線ＬＡＮコネクタを介して、院内ＬＡＮに有線で接続されている装置である。計測情報通信装置２は、例えば、対象者の各部屋に設けてもよいがこれに限定されない。対象者の生体情報の計測に用いられた計測機器５との接続を確立し、該計測機器５から計測データ、対象者識別情報、および計測項目識別情報を受信する。具体的には、計測情報通信装置２はＢＬＥを用いた無線通信機能を備え、計測機器５からＢＬＥのアドバタイズモードの信号のうち、その電波の強度が所定以上のもの（すなわち、近距離に存在している計測機器５からの電波）を検出し、該電波の発信元の計測機器５との接続を確立する。計測情報通信装置２は、計測機器５から計測データ、対象者識別情報、および計測項目識別情報を受信する。計測情報通信装置２は、受信した計測データ、対象者識別情報、および計測項目識別情報を、院内ＬＡＮを介して、カルテサーバ４に送信する。
【００８１】
例えば、実施者が情報処理装置１ｂを携帯して、対象者の部屋を次々に移動して、各部屋の対象者の生体情報を計測するために使用する計測機器５を、複数の計測機器５の中から次々に決定していくような場合、情報処理装置１ｂが、各計測機器５が計測した情報を受信するのではなく、該情報処理装置１ｂの代わりに計測機器５が計測した情報を受信する計測情報通信装置２を対象者の各部屋に設ける方が好ましい場合が考えられる。本実施形態の情報管理システム１５０および１５０ａの構成であれば、各対象者が使用した計測機器５からの計測データは、例えば、各対象者が検査を受ける部屋ごとに設けられた計測情報通信装置２および２ａを介して、カルテサーバ４に送信され、格納される。実施者による確認を受けていない計測データは、未確定データとして格納されており、実施者による確定処理を受けた後に、正式に対象者情報に入力される。これにより、計測機器５による計測が完了した計測データを、計測情報通信装置２を介して正確に各対象者の対象者情報をカルテサーバ４の対象者情報ＤＢ４１に格納することができる。
【００８２】
（情報処理装置１ｂの構成）
図８は、実施形態４に係る情報処理装置１ｂの要部構成の一例を示すブロック図である。本実施形態に係る情報処理装置１ｂは、直接計測機器５から計測データを受信しない点で、図１の情報処理装置１および図６の情報処理装置１ａと異なっている。
【００８３】
指示特定部１４は、実施者が計測対象となる対象者を指定する操作、および計測機器５を決定する前に実施者が検査項目を選択する操作に基づいて、対象者識別情報および計測項目識別情報を取得する。指示特定部１４は、取得した対象者識別情報および計測項目識別情報を第２通信制御部１６（通信制御部）に出力する。
【００８４】
第２通信制御部１６は、計測機器決定部１５によって決定された計測機器５が計測した生体情報を、情報処理装置１ｂと異なる計測情報通信装置２において受信可能に、該計測機器５に送信させる。具体的には、計測機器決定部１５が決定した計測機器５と、情報処理装置１ｂとの無線通信の接続を確立し、計測データ、対象者識別情報、および計測項目識別情報を、第２通信部３２を介して該計測機器５へ送信する。接続を確立した計測機器５の計測機器ＩＤは、第２通信制御部１６から表示制御部１３に出力され、表示部３３において、該対象者の検査項目の計測に使用する計測機器５の計測機器ＩＤ（図４の（ｃ）〜（ｅ）の「確認コード」を参照）として表示される。
【００８５】
タッチパネル３３ａから、実施者に表示した計測機器５の計測機器ＩＤが、該対象者の検査項目の計測に使用する計測機器５の計測機器ＩＤと一致することが確認される（図４の（ｅ）において、「決定」ボタンが押下された）と、指示特定部１４は、対象者識別情報、計測項目識別情報、および該対象者の検査項目の計測に使用する計測機器５の計測機器ＩＤを第１通信部３１に出力する。対象者識別情報、計測項目識別情報、および該対象者の検査項目の計測に使用する計測機器５の計測機器ＩＤは、第１通信部３１を用いて情報処理装置１ｂからカルテサーバ４に送信される。カルテサーバ４は、受信した対象者識別情報および計測項目識別情報に基づいて、該対象者の検査項目の計測に使用する計測機器５の計測機器ＩＤを該当する対象者情報に入力する。
【００８６】
情報処理装置１ｂは、第１通信部３１を介して、随時、カルテサーバ４にアクセスして、実施者が担当する対象者の対象者情報を閲覧したり、ダウンロードしたりすることができる。例えば、表示部３３に表示した対象者情報に、未確定データが含まれている場合、未確定データは、実施者による確認（確定処理の入力）が済んでいる他のデータと区別可能に表示される。そして、情報処理装置１ｂは、実施者による、各未確定データの確定処理の入力を受け付ける。例えば、情報処理装置１ｂは、各未確定データまたは各対象者について、「確認」ボタンを表示部３３に表示させて（図７の（ｃ）参照）、タッチ操作による確定処理の入力を促す。なお、確定処理の入力は、計測機器５による対象者の計測を開始した実施者Ａが行うようにしてもよいし実施者Ａと異なる、対象者の生体情報の正常／異常を適切に判断できる権限を有した（例えば、医療従事者である）実施者Ｂが実施者Ａの代わりに情報処理装置１ｂを用いて行ってもよい。
【００８７】
指示特定部１４は、確定処理が入力されたことをタッチパネル３３ａから取得すると、未確定データが実施者によって確認されたことを示す情報である確定処理情報を、第１通信部３１を介して、カルテサーバ４に送信する。
【００８８】
各対象者が使用した計測機器５からの計測データは、各対象者が検査を受ける部屋ごとに設けられた計測情報通信装置２および２ａを介して、カルテサーバ４に送信され、格納される。実施者による確認を受けていない計測データは、未確定データとして格納されており、実施者による確定処理を受けた後に、正式に対象者情報に入力される。
【００８９】
（計測情報通信装置２の構成）
次に、計測情報通信装置２の構成例について、図９を用いて説明する。図９は、計測情報通信装置２の要部構成の一例を示すブロック図である。なお、図１１に示す計測情報通信装置２ａは、カルテサーバ４との間のデータ送受信に、無線通信（例えば、Wi-Fi無線通信）を用いて行う点で、計測情報通信装置２と異なっているが、計測情報通信装置２ａの構成は、図９の計測情報通信装置２の構成と同様であるため、図示を省略する。
【００９０】
計測情報通信装置２は、計測情報通信装置第１通信部２３１、計測情報通信装置第２通信部２３２、制御部２１０、および記憶部２２０を備えている。制御部２１０はさらに、送信情報生成部２１１、計測機器照合部２１４、計測機器検出部２１５、および計測情報通信装置第２通信制御部２１６を備えている。
【００９１】
計測機器検出部２１５は、計測機器５からのＢＬＥのアドバタイズモードの信号のうち、その電波の強度が所定以上のもの（すなわち、近距離に存在している計測機器５からの電波）を、計測情報通信装置第２通信部２３２を介して検出する。このアドバタイズモードの信号には該電波の発信元である計測機器５の計測機器ＩＤ（機器情報）が含まれており、計測機器検出部２１５は、この計測機器５の計測機器ＩＤを取得する。
【００９２】
取得した計測機器ＩＤは、計測機器検出部２１５から計測情報通信装置第２通信制御部２１６に出力される。計測情報通信装置第２通信制御部２１６は、計測情報通信装置第２通信部２３２を介して、取得した計測機器ＩＤを有する計測機器５に向けて接続要求（CONNECT_REQ）を送信する。これにより、計測情報通信装置２と、接続要求を受信した計測機器との間において、データ通信可能な接続が確立される。
【００９３】
計測情報通信装置第２通信制御部２１６は、計測情報通信装置第２通信部２３２を介して、接続を確立した計測機器５から、計測データ、対象者識別情報、および計測項目識別情報を取得し、これらをすでに取得している計測機器ＩＤとともに計測機器照合部２１４に送る。なお、計測データ、対象者識別情報、および計測項目識別情報を、記憶部２２０にて一時的に記憶する構成であってもよい。
【００９４】
計測機器照合部２１４は、計測情報通信装置第１通信部２３１を介して、カルテサーバ４に格納されている対象者情報ＤＢ４１を参照し、対象者識別情報が示す対象者の、計測項目識別情報が示す検査項目に使用する計測機器５と決定されている計測機器５の計測機器ＩＤを取得する。計測機器照合部２１４は、計測情報通信装置第２通信制御部２１６から取得した計測機器５の計測機器ＩＤと対象者情報に入力されている計測機器ＩＤとを照合する。計測機器ＩＤが一致していれば、計測機器照合部２１４は、計測情報通信装置第２通信制御部２１６から取得した計測データを、該対象者の検査項目の計測データとしてカルテサーバ４に送信する。計測機器ＩＤが一致していなければ、計測情報通信装置第２通信制御部２１６に対して該計測機器５との接続を切断するように指示する。なお、計測機器ＩＤが一致せず、計測情報通信装置２と計測機器５との通信が確立できなかった場合には、計測情報通信装置２から、計測機器ＩＤが一致しなかったことを情報処理装置１ｂに送信したり、カルテサーバ４に送信したりすることが望ましい。これにより、計測情報通信装置２と計測機器５との通信が確立できなかったことを実施者に通知し、適切な処置を講じるように促すことができる。
【００９５】
なお、計測機器５との接続を確立する前に、計測情報通信装置第２通信制御部２１６が計測機器５の計測機器ＩＤを計測機器照合部２１４に出力する構成であってもよい。この場合、計測情報通信装置第２通信制御部２１６は、接続が確立する前の計測機器５から、該計測機器５の計測機器ＩＤに加えて、該計測機器５が情報処理装置１ｂから受信した対象者識別情報および計測項目識別情報も含むアドバタイズモードの信号を発信する構成にすればよい。この構成によれば、計測情報通信装置第２通信制御部２１６は、計測機器５との接続を確立させる前に、該計測機器５の計測機器ＩＤ、対象者識別情報、および計測項目識別情報を取得する。これにより、計測機器照合部２１４は、対象者情報ＤＢ４１の対象者情報に入力されている計測機器ＩＤと、計測情報通信装置第２通信制御部２１６から取得した計測機器５の計測機器ＩＤとを照合することができる。よって、計測情報通信装置２が、対象者の検査項目に使用された計測機器５ではない計測機器５との接続を確立してしまうことを事前に回避することで、計測機器５の通信負荷を低減することができる。
【００９６】
本実施形態に係る情報管理システム１５０、１５０ａにおいて、情報処理装置１ｂが実行するアプリケーションソフトウェア（アプリ）をアップデートする必要が生じたとき、計測情報通信装置２が院内ＬＡＮに接続されている所定のサーバを定期的にチェックするように設定し、所定のサーバに最新のアプリが格納されていれば、自動的にアップデートするようにしてもよい。あるいは、該所定のサーバからのアップデート指示に従って、個別またはすべての計測情報通信装置２のアップデートが可能なように構成してもよい。なお、所定のサーバは、カルテサーバ４であってもよい、カルテサーバ４とは別の専用サーバであってもよい。
【００９７】
なお、計測機器５が計測した計測データを、情報処理装置１ｂが受信するのか（上述の実施形態１〜３参照）、計測機器５とデータ通信が可能な計測情報通信装置２、２ａが受信するのか（上述の実施形態４、５参照）、は情報処理装置１ｂを使用する実施者によって切り替え可能であっても良い。例えば、対象者が所定の部屋に集まり、その部屋の中で検査が行われるような場合、実施者が情報処理装置１ｂを携帯して移動しても、各対象者の検査項目を計測する計測機器５と情報処理装置１ｂとの通信は維持可能である。このような場合、実施者は情報処理装置１ｂが、計測機器５が計測した計測データを受信するモードを選択してもよい。一方、例えば、対象者がそれぞれの部屋に分かれており、各部屋で検査が行われるような場合、実施者は情報処理装置１ｂを携帯して各部屋を移動して、各対象者の検査項目に使用する計測機器５を決定していくことになる。それゆえ、計測情報通信装置２、２ａが情報処理装置１ｂの代わりに、計測機器５が決定済の対象者の生体情報を計測した計測機器５から受信してもよい。このような場合、実施者は情報処理装置１ｂではなく、計測情報通信装置２、２ａが、計測機器５から計測データを受信できるモードを選択してもよい。
【００９８】
〔実施形態５〕
本発明の他の実施形態について、図１２から図１５に基づいて説明すれば、以下のとおりである。なお、説明の便宜上、前記実施形態にて説明した部材と同じ機能を有する部材については、同じ符号を付記し、その説明を省略する。
【００９９】
本実施形態において、情報処理装置１ｃは、対象者の検査項目に使用することが決定した計測機器５の機器情報（計測機器ＩＤなど）を、後述の計測情報通信装置２ｂ（所定の装置）に向けて送信する点で、情報処理装置１ｂと異なっている。
【０１００】
（情報管理システム１５０ｂおよび１５０ｃの構成）
まず、情報処理装置１ｃを用いて対象者情報を管理する病院の情報管理システム１５０ｃの構成について、図１４および図１５を用いて説明する。図１４および図１５は、情報処理装置１ｃを含む別の情報管理システム１５０ｃの構成例を示す図である。図示された情報管理システム１５０ｂおよび１５０ｃの計測情報通信装置２ｂは、院内ＬＡＮに有線で接続されている構成であるがこれに限定されない。例えば、計測情報通信装置２ｂが、図１１に示された情報管理システム１５０ａの計測情報通信装置２ａのように、院内ＬＡＮに接続している無線アクセスポイント６に無線で接続可能な構成であってもよい。図示のように、情報管理システム１５０ｂおよび１５０ｃは、情報処理装置１ｃ、計測情報通信装置２ｂ、計測機器５、およびカルテサーバ４を備えている。
【０１０１】
ここでは、情報処理装置１ｃと計測機器５との間の通信、および計測情報通信装置２ｂと計測機器５との間の通信にBluetooth（登録商標）Low Energy（ＢＬＥ）を用い、情報処理装置１ｃと無線アクセスポイント６との間の通信、および情報処理装置１ｃと計測情報通信装置２ｂとの間の通信にWi-Fi（登録商標）を用いる場合を例に挙げて説明する。しかし、情報処理装置１ｃと計測機器５との間の通信は、両者の相対的な位置関係（距離など）を情報処理装置１ｃが検出できる通信方法であれば、如何なる通信方法も情報管理システム１５０ｂおよび１５０ｃに適用可能である。
【０１０２】
図１４に示す情報管理システム１５０ｂでは、情報処理装置１ｃは、カルテサーバ４の対象者情報ＤＢ４１に含まれる対象者の検査項目の計測に用いる計測機器５を、１つまたは複数の計測機器５の中から決定し、該計測機器５の機器情報（計測機器ＩＤなど）を取得して、接続を確立する。情報処理装置１ｃは、計測情報通信装置２ｂに計測機器５から取得した計測機器ＩＤを送信し、一方、計測機器５には、該計測機器５が計測した計測データを受信する計測情報通信装置２ｂを識別する計測情報通信装置ＩＤ（計測装置通信装置の機器ＩＤ）などを送信する。計測機器５は、情報処理装置１ｃとの接続が切断した後、この計測情報通信装置ＩＤと一致する計測情報通信装置２ｂから接続要求を受け取り、該計測情報通信装置２ｂとの接続を確立して、計測データを送信する。ここでは、計測機器５と特定の計測情報通信装置２ｂとの接続を確立する際のＰＤＵタイプである「ADV_DIRECT_IND」を用いればよい。一方、計測データなどを受信した計測情報通信装置２ｂは、該計測データの送信元の計測機器５の計測機器ＩＤと情報処理装置１ｃから取得した計測機器ＩＤとを照合する。計測機器ＩＤが一致していれば、計測機器照合部２１４は、計測情報通信装置第２通信制御部２１６から取得した計測データを、該対象者の検査項目の計測データとしてカルテサーバ４に送信する。計測機器ＩＤが一致していなければ、計測情報通信装置第２通信制御部２１６に対して該計測機器５との接続を切断するように指示する。
【０１０３】
一方、図１５に示す情報管理システム１５０ｃでは、情報処理装置１ｃは、計測情報通信装置２ｂに接続を確立した計測機器５から取得した計測機器ＩＤを送信する。計測情報通信装置２ｂは、接続要求を送信して該計測機器ＩＤと一致する計測機器ＩＤを有する計測機器５との間の通信を確立し、該計測機器５が計測した計測データを受信する。
【０１０４】
なお、情報処理装置１ｃは、カルテサーバ４または情報処理装置１ｃの記憶部２０に記憶されている、各対象者が使用する部屋ごとの計測情報通信装置２ｂの計測情報通信装置ＩＤを規定する計測情報通信装置対応テーブルを参照して、計測情報通信装置ＩＤ（計測情報通信装置の機器ＩＤなど）を計測機器５に送信すればよい。
【０１０５】
この構成によれば、計測情報通信装置２ｂおよび計測機器５は、いずれも情報処理装置１ｃから互いの機器ＩＤを取得している。それゆえ、計測機器５は、情報処理装置１ｃから受信した機器ＩＤの計測情報通信装置２ｂからの接続要求を待って、該計測情報通信装置２ｂへ計測データなどを送信すればよい。これにより、計測機器５は、計測データを送信すべき計測情報通信装置２ｂに向けて確実に送信することができる。
【０１０６】
あるいは、図１５に示すように、情報処理装置１ｃから計測機器５に、計測情報通信装置２ｂの計測情報通信装置ＩＤを送信しない構成であってもよい。図１５の情報管理システム１５０ｃにおいて、計測機器５は、情報処理装置１ｃとの接続が切断した後に計測情報通信装置２との接続を確立するまで、ＢＬＥのアドバタイズモードの信号を発信する（図１５の破線）。そして、計測情報通信装置２ｂとの接続が確立すると、情報処理装置１ｃから受信した対象者識別情報および計測項目識別情報を、計測した計測データと共に、該計測情報通信装置２ｂに送信する。
【０１０７】
（情報処理装置１ｃの構成）
図１２は、実施形態５に係る情報処理装置１ｃの要部構成の一例を示すブロック図である。本実施形態に係る情報処理装置１ｃは、第１通信部を用いて計測情報通信装置２ｂと通信する機能を備えている点で、図８の情報処理装置１ｂと異なっている。
【０１０８】
タッチパネル３３ａから、実施者に表示した計測機器５の計測機器ＩＤが、該対象者の検査項目の計測に使用する計測機器５の計測機器ＩＤと一致することが確認される（図４の（ｅ）において、「決定」ボタンが押下された）と、指示特定部１４は、該対象者識別情報、計測項目識別情報、および該対象者の検査項目の計測に使用する計測機器５の計測機器ＩＤを取得する。また、指示特定部１４は、記憶部２０に格納されている計測情報通信装置対応テーブル（図示せず）から、該対象者の部屋に設けられている計測情報通信装置２ｂの計測情報通信装置ＩＤを取得する。
【０１０９】
計測情報通信装置対応テーブル（図示せず）から取得した対象者の検査項目の計測に使用する計測機器５の計測機器ＩＤは、指示特定部１４から第１通信部３１に出力されて、情報処理装置１ｃから計測情報通信装置２ｂに送信される。一方、対象者識別情報、計測項目識別情報、および計測情報通信装置２ｂの計測情報通信装置ＩＤは、指示特定部１４から第２通信制御部１６に出力され、第２通信部３２を用いて、計測機器５に送信される。
【０１１０】
（計測情報通信装置２ｂの構成）
次に、図１４の計測情報通信装置２ｂの構成例について、図１３を用いて説明する。図１３は、計測情報通信装置２ｂの要部構成の一例を示すブロック図である。
【０１１１】
計測情報通信装置２ｂは、計測情報通信装置第１通信部２３１、計測情報通信装置第２通信部２３２、制御部２１０ａ、および記憶部２２０を備えている。制御部２１０ａはさらに、送信情報生成部２１１、計測機器照合部２１４、および計測情報通信装置第２通信制御部２１６を備えている。
【０１１２】
情報処理装置１ｃから計測情報通信装置第１通信部２３１を介して受信した、計測機器５の計測機器ＩＤは、計測機器検出部２１５から計測情報通信装置第２通信制御部２１６に出力される。計測情報通信装置第２通信制御部２１６は、計測情報通信装置第２通信部２３２を介して受信した計測データなどの送信元の計測機器の計測機器ＩＤを、計測機器照合部２１４に送る。計測機器照合部２１４は、情報処理装置１ｃから取得した計測機器ＩＤと、計測データなどを送信してきた計測機器５の計測機器ＩＤとを照合する。計測機器ＩＤが一致していれば、計測機器照合部２１４は、計測情報通信装置第２通信制御部２１６から取得した計測データを、該対象者の検査項目の計測データとしてカルテサーバ４に送信する。計測機器ＩＤが一致していなければ、計測情報通信装置第２通信制御部２１６に対して該計測機器５との接続を切断するように指示する。
【０１１３】
図１５に示す、情報管理システム１５０ｃに用いられる計測情報通信装置２ｂは、計測情報通信装置２と同様に計測機器検出部２１５をさらに備えている（図９参照）。計測情報通信装置２ｂにおいて、計測機器検出部２１５は、アドバタイズモードの信号を発信している計測機器５の計測機器ＩＤを取得し、計測機器照合部２１４に送る。この構成によれば、計測機器照合部２１４は、情報処理装置１ｃから受信した計測機器ＩＤと、計測情報通信装置第２通信制御部２１６から取得した計測機器５の計測機器ＩＤとを照合することができる。これにより、計測情報通信装置２ｂが、対象者の検査項目に使用された計測機器５ではない計測機器５との接続を確立してしまうことを事前に回避することで、計測機器５の通信負荷を低減することができる。
【０１１４】
〔実施形態６〕
本発明の別の実施形態について、図１６および図１７に基づいて説明すれば、以下のとおりである。なお、説明の便宜上、前記実施形態にて説明した部材と同じ機能を有する部材については、同じ符号を付記し、その説明を省略する。
【０１１５】
本実施形態に係る情報管理システム１５０ｄにおいて、情報処理装置１ｄは、対象者の検査項目に使用することが決定した計測機器５および計測情報通信装置２ｃ（所定の装置）に照合用ＩＤを送信する。計測情報通信装置２ｃは照合用ＩＤと、計測機器５からの計測データとともに送信される照合用ＩＤとが一致するか否か、に基づいて、計測機器５を照合する。
【０１１６】
（情報管理システム１５０ｄの構成）
ここでは、情報管理システム１５０ｄの構成について、図１６を用いて説明する。図１６は、情報処理装置１ｄを含む情報管理システム１５０ｄの構成例を示す図である。図１６のように情報処理装置１ｄは、計測情報通信装置２ｃおよび計測機器５に対して照合用ＩＤをさらに送信する構成であってもよい。すなわち、情報処理装置１ｄは、接続を確立した計測機器５に対して照合用ＩＤを送信するとともに、該計測機器５からの計測データを受信する計測情報通信装置２ｃに対しても、照合用ＩＤを送信する。計測情報通信装置２ｃは、計測データを送信する計測機器５から送信された照合用ＩＤが、情報処理装置１ｄから受信した照合用ＩＤと一致するか否かに基づいて、正しい計測機器５との通信によって受信した計測データであるか否かを確認することができる。
【０１１７】
（計測情報通信装置２ｃの構成）
次に、計測情報通信装置２ｃの構成例について、図１７を用いて説明する。図１７は、照合用ＩＤを用いて計測機器５の照合を行う計測情報通信装置２ｃの要部構成を示すブロック図である。ここに図示された計測情報通信装置２ｃは、図１６の情報管理システム１５０ｄに用いられ、情報処理装置１ｄから照合用ＩＤを受信する構成を備えている点で、図１３の計測情報通信装置２ｂと異なっている。
【０１１８】
情報処理装置１ｄから計測情報通信装置第１通信部２３１を介して受信した、計測機器５の計測機器ＩＤは、計測情報通信装置第２通信制御部２１６に送られる。計測情報通信装置２ｃは、該計測機器ＩＤに基づいて計測機器５との接続を確立する。一方、情報処理装置１ｄから計測情報通信装置第１通信部２３１を介して受信した、計測機器５の照合用ＩＤは、計測機器照合部２１４に送られる。計測機器照合部２１４は、情報処理装置１ｄから取得した照合用ＩＤと、計測データなどを送信してきた計測機器５の照合用ＩＤとを照合する。照合用ＩＤが一致していれば、計測機器照合部２１４は、計測情報通信装置第２通信制御部２１６から取得した計測データを、該対象者の検査項目の計測データとしてカルテサーバ４に送信する。照合用ＩＤが一致していなければ、計測情報通信装置第２通信制御部２１６に対して該計測機器５との接続を切断するように指示する。
【０１１９】
なお、計測情報通信装置２ｃは、図９に示す計測情報通信装置２と同様に、計測機器検出部２１５（図示せず）をさらに備えていてもよい。この場合、計測機器５の計測機器ＩＤが情報処理装置１ｄから計測情報通信装置２ｃに送信されると、該計測機器ＩＤは計測情報通信装置第１通信部２３１を介して計測機器検出部２１５に送られる。該計測機器ＩＤは、さらに計測機器検出部２１５から計測情報通信装置第２通信制御部２１６に出力される。計測情報通信装置第２通信制御部２１６は、計測データなどと共に送信元の計測機器から受信した計測機器ＩＤを、計測情報通信装置第２通信部２３２を介して、計測機器照合部２１４に送る。計測機器照合部２１４は、情報処理装置１ｄから取得した計測機器ＩＤと、計測データなどを送信してきた計測機器５の計測機器ＩＤとを照合する。計測機器ＩＤが一致していれば、計測機器照合部２１４は、計測情報通信装置第２通信制御部２１６から取得した計測データを、該対象者の検査項目の計測データとしてカルテサーバ４に送信する。一方、計測機器ＩＤが一致していなければ、計測情報通信装置第２通信制御部２１６に対して該計測機器５との接続を切断するように指示する。
【０１２０】
〔変形例〕
上述の実施形態では、計測機器によって計測する計測対象の情報を生体情報とし、情報処理装置１、１ａ〜１ｄが医療用携帯端末である場合を例に挙げて説明したが、これに限定されない。例えば、計測する計測対象の情報は生体情報以外の各種検査データであってもよい。また、複数の機器による測定を同時に進行させて、その使用者および計測データなどの記録を管理する、各種検査室および研究室のデータ管理装置、およびスポーツジムなどの顧客管理装置としても、好適に適用され得る。
【０１２１】
〔ソフトウェアによる実現例〕
情報処理装置１、１ａ〜１ｄの制御ブロック（特に認証部１１、対象者情報取得部１２、表示制御部１３、指示特定部１４、計測機器決定部１５、第２通信制御部１６、および異常判定部１７）は、集積回路（ＩＣチップ）等に形成された論理回路（ハードウェア）によって実現してもよいし、ＣＰＵ（Central Processing Unit）を用いてソフトウェアによって実現してもよい。同様に、計測情報通信装置２、２ａ〜２ｃの制御ブロック（特に送信情報生成部２１１、計測機器照合部２１４、計測機器検出部２１５、および計測情報通信装置第２通信制御部２１６）は、集積回路（ＩＣチップ）等に形成された論理回路（ハードウェア）によって実現してもよいし、ＣＰＵ（Central Processing Unit）を用いてソフトウェアによって実現してもよい。
【０１２２】
後者の場合、情報処理装置１、１ａ〜１ｄおよび計測情報通信装置２、２ａ〜２ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２３】
〔まとめ〕
本発明の態様１に係る情報処理装置１、１ａ〜１ｄは、計測対象の情報を計測する複数の計測機器５とのデータ通信が可能な情報処理装置であって、上記複数の計測機器の少なくとも１つから発信される信号を受信する受信部（第２通信部３２）と、上記受信部が受信した信号から、上記計測機器が所定の操作を受けたことにより変化した信号を検出した場合、該変化した信号の発信元の計測機器を計測に使用する計測機器として決定する計測機器決定部１５と、を備える。
【０１２４】
上記の構成によれば、所定の操作を受けたことにより変化した信号を検出し、該所定の操作を受けたことにより変化した信号の発信元の計測機器を、計測に使用する計測機器として決定する。これにより、複数の計測機器の中から、計測対象の情報を計測する計測機器を、例えば、情報処理装置の近くで移動させるなどの、簡単かつ直観的な方法で決定することができる。よって、一人の実施者が複数の計測対象について、複数の検査項目の計測を同時進行的に行う場合においても、計測対象を取り違えたり、計測対象と計測機器との対応関係を取り違えたりすることなく、計測対象の情報を正確に管理することができる。
【０１２５】
本発明の態様２に係る情報処理装置は、上記態様１において、上記決定された計測機器が計測した情報を、自装置、および上記計測機器とデータ通信が可能な、自装置と異なる所定の装置（計測情報通信装置２、２ａ〜２ｃ）のいずれか一方において受信可能に、上記決定された計測機器に送信させる通信制御部（第２通信制御部１６）をさらに備えていてもよい。
【０１２６】
例えば、実施者が情報処理装置を携帯して、計測対象である対象者の部屋を次々に移動して、各部屋の対象者の情報を計測するために使用する計測機器を、複数の計測機器の中から次々に決定していくような場合、情報処理装置が、各計測機器が計測した情報を受信するのではなく、該情報処理装置の代わりに計測機器が計測した情報を受信する所定の装置を計測対象の各部屋に設ける方が好ましい場合が考えられる。上記の構成によれば、計測機器が計測した情報は、情報処理装置、および上記計測機器とデータ通信が可能な、該情報処理装置と異なる所定の装置のいずれか一方が受信する。これにより、情報処理装置が、計測対象の情報を計測した計測機器とのデータ通信が不可能な位置に移動している間にも、該情報処理装置と異なる、所定の装置によって該計測機器が計測した情報を受信することができる。よって、情報処理装置の移動範囲および移動のタイミングを制限することなく、計測対象の情報を計測機器から取得することができる。
【０１２７】
本発明の態様３に係る情報処理装置は、上記態様１または２において、上記受信部は、上記計測機器から電波によって発信された信号を受信し、上記計測機器決定部は、上記所定の操作を受けたことによる信号の変化として、上記情報処理装置と上記計測機器との相対的な位置関係の変化に依存した上記電波の強度の変化を検出してもよい。
【０１２８】
情報処理装置が受信する計測機器からの信号の電波の強度は、情報処理装置と計測機器との間の距離に依存している。例えば、情報処理装置と計測機器との距離がより遠い場合、電波強度は弱く、情報処理装置と計測機器との距離がより近い場合、電波の強度は強い。上記の構成によれば、検査に使用する計測機器を、情報処理装置が受信する計測機器からの信号の電波の強度の変化に基づいて決定する。これにより、情報処理装置と計測機器との相対的な位置関係を変化させるという簡単な操作によって、計測対象と該計測対象の情報を計測する計測機器とを対応づけることができる。
【０１２９】
本発明の態様４に係る情報処理装置は、態様１から３のいずれかにおいて、上記計測機器から該計測機器に関する情報を含む信号を受信し、上記計測機器決定部は、上記所定の操作を受けたことにより変化した信号に含まれる計測機器に関する情報に基づいて、計測に使用する計測機器を決定してもよい。
【０１３０】
上記の構成によれば、計測機器が発信している信号には計測機器に関する情報が含まれており、所定の操作を受けたことにより変化した信号に含まれる計測機器に関する情報に基づいて、計測に使用する計測機器を決定する。これにより、所定の操作を受けたことにより変化した信号を検出した場合、情報処理装置は、該信号を発信した計測機器が、複数存在する計測機器の中のどの計測機器であるかを識別することができる。よって、情報処理装置は、計測に用いる計測機器に対して個別に接続要求などを送信し、計測対象と計測機器とを対応づけることが可能である。
【０１３１】
本発明の態様５に係る情報処理装置１、１ａ〜１ｄの制御方法は、対象者の生体情報を計測する複数の計測機器５とのデータ通信が可能な情報処理装置の制御方法であって、上記複数の計測機器の少なくとも１つから発信される信号を受信部（第２通信部３２）で受信する受信ステップ（Ｓ６１）と、上記受信部で受信した信号から、所定の時間内に所定の操作を受けたことにより変化した信号を検出した場合、該検出した信号の発信元の計測機器を計測に使用する計測機器として決定する計測機器決定ステップ（Ｓ６、Ｓ６１）と、を含む。
【０１３２】
上記の構成によれば、態様１と同様の効果を奏する。
【０１３３】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３５】
本発明は、複数の計測機器で計測された計測対象の情報を取得して、管理する情報処理装置に利用することができる。
【符号の説明】
【０１３６】
１、１ａ、１ｂ、１ｃ、１ｄ  情報処理装置
２、２ａ、２ｂ、２ｃ  計測情報通信装置（所定の装置）
５  計測機器
１５  計測機器決定部
１６  第２通信制御部（通信制御部）
３２  第２通信部（受信部）
【図１】
2016122426.tif 000003
【図２】
2016122426.tif 000004
【図３】
2016122426.tif 000005
【図４】
2016122426.tif 000006
【図５】
2016122426.tif 000007
【図６】
2016122426.tif 000008
【図７】
2016122426.tif 000009
【図８】
2016122426.tif 000010
【図９】
2016122426.tif 000011
【図１０】
2016122426.tif 000012
【図１１】
2016122426.tif 000013
【図１２】
2016122426.tif 000014
【図１３】
2016122426.tif 000015
【図１４】
2016122426.tif 000016
【図１５】
2016122426.tif 000017
【図１６】
2016122426.tif 000018
【図１７】
2016122426.tif 000019